(57)【要約】【課題】不注意による容器の破損を防ぐことを課題とし、染毛後に混合容器から塗布体取付キャップを取外せないようにした染毛剤塗布容器を提供すること。【解決手段】混合容器と、塗布体を取着した塗布体取付キャップとを具えた染毛剤塗布容器であって、混合容器の口筒部は、その上部外周にねじが螺設され、下部外周を拡径部とし、該拡径部の周面に一対のストッパーが設けられており、塗布体取付キャップの嵌着筒は、内周にねじが螺設され、その下端に上記ストッパーに係合する一対の係止片が形成されており、ねじ締め後に塗布体取付キャップを容器口筒部から取外し不能にしたことを特徴とする。【選択図】　　　　図１
2004083108.tif 000002
【特許請求の範囲】
【請求項１】
混合容器と、塗布体を取着した塗布体取付キャップとを具えた染毛剤塗布容器であって、
混合容器の口筒部は、その上部外周にねじが螺設され、下部外周を拡径部とし、該拡径部の周面に一対のストッパーが設けられており、
塗布体取付キャップの嵌着筒は、内周にねじが螺設され、その下端に上記ストッパーに係合する一対の係止片が形成されており、ねじ締め後に塗布体取付キャップを容器口筒部から取外し不能にしたことを特徴とする染毛剤塗布容器。
【請求項２】
混合容器と、塗布体を取着した塗布体取付キャップとを具えた染毛剤塗布容器であって、
混合容器の口筒部は、その上部外周にねじが螺設され、下部外周に、下端周縁に係止段部を刻設した拡径部が突設され、拡径部と肩部との間にくびれ部を形成しており、
塗布体取付キャップの嵌着筒は、内周にねじが螺設され、その下端に折り曲げ可能な係止片が突設されており、ねじ締め後に塗布体取付キャップを容器口筒部から取外し不能にしたことを特徴とする染毛剤塗布容器。
【請求項３】
混合容器に、混合時にガスが発生する複数種類の染毛剤を充填していることを特徴とする請求項１，２記載の染毛剤塗布容器。
【発明の詳細な説明】
【０００１】
【発明の属する技術分野】
本発明は、染毛剤塗布容器、とくに染毛剤混合容器に取着した塗布体取付キャップが容易に取外せないようにした染毛剤塗布容器に関する。
【０００２】
【発明が解決しようとする課題】
二液の染毛剤を混合容器に入れて混合し、混合容器の口筒部に櫛形状の塗布体取付キャップを取着して毛髪に塗布することは従来より行われており、塗布後には、櫛形状の塗布体取付キャップを取外して洗滌し、容器内に残った混合液を捨てるようにしている。
【０００３】
しかしながら、混合液をすぐに捨てられないときに、残った混合液を入れたまま混合容器にキャップをしておくことがある。
混合液がガスを発生する染毛剤である場合、速やかに混合液を捨てれば問題はないが、混合液を捨て忘れてそのまま放置される場合がある。
そのときには、混合液からガスが発生して混合容器の内圧が上昇し、容器が変形したり、ときには破損するおそれさえあった。
【０００４】
本発明は、上記の事情を考慮し、不注意による容器の破損を防ぐことを課題とし、染毛後に混合容器から塗布体取付キャップを取外せないようにした染毛剤塗布容器を提供することを目的とする。
【０００５】
【課題を解決するための手段】
本発明は、上記の課題を解決するため、染毛剤塗布容器として、混合容器と、塗布体を取着した塗布体取付キャップとを具えた染毛剤塗布容器であって、混合容器の口筒部は、その上部外周にねじが螺設され、下部外周を拡径部とし、該拡径部の周面に一対のストッパーが設けられており、塗布体取付キャップの嵌着筒は、内周にねじが螺設され、その下端に上記ストッパーに係合する一対の係止片が形成されており、ねじ締め後に塗布体取付キャップを容器口筒部から取外し不能にしたことを特徴とする構成を採用する。
【０００６】
別実施形態として、混合容器と、塗布体を取着した塗布体取付キャップとを具えた染毛剤塗布容器であって、混合容器の口筒部は、その上部外周にねじが螺設され、下部外周に、下端周縁に係止段部を刻設した拡径部が突設され、拡径部と肩部との間にくびれ部を形成しており、塗布体取付キャップの嵌着筒は、内周にねじが螺設され、その下端に折り曲げ可能な係止片が突設されており、ねじ締め後に塗布体取付キャップを容器口筒部から取外し不能にしたことを特徴とする構成を採用する。
【０００７】
染毛剤として、混合容器に、混合時にガスが発生する複数種類の染毛剤を充填していることを特徴とする構成を採用する。
【０００８】
【発明の実施の形態】
次に、本発明の塗布体が櫛である第１実施形態について図面を参照して説明する。
図１，２において、Ａはスクイズ可能な混合容器、Ｂは弁体を保持した中栓、Ｃは櫛取付キャップ（塗布体取付キャップ）、Ｄは櫛取付キャップに取着された櫛体、Ｅは混合容器のキャップである。
【０００９】
図１，２に示すように、混合容器Ａは、外側層１と該外側層１に剥離自在として積層され、変形自在の内袋となる内側層２とから形成され、容器口筒部３と肩部４、胴部５と底部６とからなっている。
容器口筒部３は、縮径部７とその下方の拡径部８とからなり、縮径部７外周には、上下方向に切欠部９を設けたねじ１０が螺設されており、ねじ１０の下方には、外側層１と内側層２との間に大気を導入する空気導入孔１１が穿孔されている。
【００１０】
拡径部８の下方には、一対のストッパー１２が設けられており、肩部４に続いている。
肩部４および胴部５は円形もしくは楕円形であって、胴部５はスクイズ可能となっている。
【００１１】
図３に示すように、中栓Ｂは、中央部に弁孔１５を穿孔した基板１６と該基板１６の外周縁から立設し、下端に連通孔１７を設けた側筒１８とを具えている。基板１６の上面には、弁体支持筒１９が立設されており、下面には、容器口筒部３内周に嵌着する嵌合筒２０が垂設されている。
弁体支持筒１９の内周には、弁保持筒２１が保持されており、弁保持筒２１の下部内周には、吐出弁２２が複数の連結片２３を介して取着されており、基板１６の内周縁部を弁座として、上下動することによって弁孔１５を開閉可能としている。
【００１２】
弁保持筒２１の外周にはフランジ状に突出した吸入弁２４が設けられている。
弁保持筒２１、吐出弁２２、吸入弁２４によって弁体が形成され、柔軟な合成樹脂、またはエラストマーによって一体成形されている。
【００１３】
図４に示すように、櫛取付キャップＣは、嵌着筒３０と、櫛支持筒３１を内周縁に沿って立設した上壁３２とを具えており、嵌着筒３０の上端部は縮径され、縮径筒部３３が形成されている。
嵌着筒３０の縮径筒部３３内周には、中栓支持面３４が配設され、その内周下端には膨出環３４ａが設けられている。
中栓支持面３４の下方には、容器口筒部３のねじ１０に螺合するねじ３５が刻設されている。
【００１４】
ねじ３５の下方の嵌着筒３０内周は拡径され、係合面３６が形成されており、係合面３６の下方は、さらに拡径され、その内周の下端には、ストッパー１２に係合する一対の係止片３７が設けられている。
上壁３２の所定個所には、外気取入れ孔３８が穿孔されている。
【００１５】
櫛支持筒３１の内周下端には、前記弁保持筒２１の支持段部３９が設けられており、その上方には、櫛体Ｄを嵌着するための係止環４０が突設され、上端には、複数の凹条４１が刻設されている。
【００１６】
図５に示すように、櫛体Ｄは、基台５０と基台５０に取着された櫛５１とからなっており、基台５０の下端部には、取付筒５２と傘状カバー５３とが設けられている。
基台５０の内部は、液通路５４となっており、取付筒５２の下端外周には、前記櫛支持筒３１の前記係止環４０に係合するよう膨出部５５が設けられており、取付筒５２の上方外周には、櫛体Ｄが回転しないように前記凹条４１に係合する多数の突条が設けられている。
【００１７】
傘状カバー５３は、前記櫛取付キャップＣの縮径筒部３３と上壁３２とを被うようになっており、傘状カバー５３の内周下方部には、所定の間隔をおいて多数のリブ５６が突設されて、縮径筒部３３の外周に接するようになっている。
櫛５１は、内部に流路孔５７を設け、所定位置に吐出孔５８を設けた多数の櫛歯５９と、各櫛歯５９を連結する連結板６０とからなっており、各櫛歯５９の根元部は、基台５０に設けられた挿入孔に嵌挿され、連結板６０の根元側の側面は、基台５０の側面に接合されている。
【００１８】
次に、本塗布容器の櫛付キャップＣ１の組立について説明する。
組立にあたっては、まず、弁体を保持した中栓Ｂが櫛取付キャップＣ内に組み込まれ、次いで、櫛体Ｄの取付筒５２を櫛取付キャップＣの櫛支持筒３１に嵌着することによって、中栓Ｂ、櫛体Ｄを櫛取付キャップＣにセットした櫛付キャップＣ１が得られる。
【００１９】
その際、弁体の吐出弁２２は、基板１６の弁孔１５を塞ぎ、弁保持筒２１の上端は、櫛支持筒３１の支持段部３９に係止され、吸入弁２４が上壁３２下面に圧接され、外気取入れ孔３８を塞ぐことになる。
そしてまた、傘状カバー５３と縮径筒部３３との間には、リブ５６により間隙が形成される。
【００２０】
そして、櫛付キャップＣ１を混合容器Ａの容器口筒部３に取着した場合には、傘状カバー５３と櫛取付キャップＣの縮径筒部３３との間の間隙、上壁３２の外気取入れ孔３８、連通孔１７、容器口筒部３のねじ１０の切欠部９を通じて、外気と容器口筒部３の空気導入孔１１との間に空気通路が形成される。
【００２１】
次に、本塗布容器の使用態様と構成に基づく作用効果について説明する。
染毛剤としては、毛髪を所望の色に均一に染めるものや、毛髪を脱色するもの、毛髪を脱色した後に所望の色に染めるもの等、種々のタイプのものが使われている。
そして、染毛にあたっては、染毛剤の二液混合液が、場合によって三液以上の混合液が用いられるが、混合した場合にガスを発生する染毛剤もある。
【００２２】
染毛に混合液がガスを発生する二液混合液を用いる場合、混合容器Ａには、内容液として、染毛剤の第１液が収納されており、キャップＥによりパッキンを挟んで被嵌され、中栓Ｂ、櫛体Ｄを櫛取付キャップＣにセットした櫛付キャップＣ１、第２液を収納した容器とともに市場に販売提供される。
【００２３】
使用にあたって、混合容器ＡのキャップＥを取外し、第２液を収納した容器から第２液を混合し、櫛付キャップＣ１を取着する。
櫛付キャップＣ１の取付けにあたっては、櫛取付キャップＣを最終位置までねじ込むと、嵌着筒３０の係止片３７がストッパー１２を乗り越え、櫛取付キャップＣが逆転して外れないように位置決めされる。
【００２４】
次に染毛にあたって、混合容器Ａを押圧すると、内圧の上昇により吐出弁２２が開かれ、混合容器内の内容物が、基台５０内の液通路５４を通って各櫛歯５９に送られ、各吐出孔５８より吐出される。
次いで、押圧が解かれると、容器胴部５が復元し容器内が減圧され、減圧に応じて、吐出弁２２が閉じられ、吸入弁２４が開かれ、外気取入れ孔３８から大気が吸い込まれ、空気通路を通って空気導入孔１１から混合容器Ａ内に導入される。
【００２５】
空気導入孔１１から内側層２と外側層１との間に大気が吸入され、内側層２が剥離され剥離層が形成される。
外側層１が完全に復元し、剥離層内の内圧が外気に等しくなると、空気の流通がなくなり、吸入弁２４も閉じられる。
【００２６】
次に、混合容器Ａを再押圧すると容器内の内圧が高くなるが、剥離層内の空気は吸入弁２４が閉じられているので排出されることはなく、内圧の上昇に応じて吐出弁２２が開かれ、内容物が各櫛歯５９の吐出孔５８より吐出される。
かくして、容器の押圧に応じ、押圧量に応じた内容液が吐出される。
【００２７】
染毛が終わったときには、櫛付キャップＣ１を混合容器Ａに取付けたまま放置しておく。
その際、混合容器Ａ内に残った二液の反応が続きガスが発生するが、内圧が上昇することによって吐出弁２２が開き、発生したガスは櫛歯５９を通じて大気中に放散されるので、混合容器Ａの内圧が上昇することはない。
【００２８】
そして、櫛取付キャップＣをねじっても、係止片３７とストッパー１２の係合により開蓋が阻止されるので、一般の使用者が櫛取付キャップＣを取外してキャップＥに取替えることができなくなり、混合容器Ａが破損するようなことはなくなった。
【００２９】
次に、第２実施形態について説明する。
本実施形態は、混合容器の口筒部と櫛取付キャップの嵌着筒の構造を変更したもので、他の部分は同一であるので添字ａを付して図示し、詳しい説明は省略する。
【００３０】
図６に示すように、混合容器Ａａの容器口筒部７０外周には、ねじ７１が螺設され、その下方には、空気導入孔７２が穿孔されている。
容器口筒部７０の下方は、拡径部７３が形成され、該拡径部７３の下端には、係止段部７４が設けられている。
拡径部７３の下方は、くびれ部７５となっており、肩部４ａに続いている。
【００３１】
図７に示すように、櫛取付キャップＣａは、嵌着筒８０と櫛支持筒８１を中央部に立設した上壁８２とを具えており、嵌着筒８０の内周には、ねじ８３が螺設され、その下端には、内方に突出する複数の係止片８４が設けられている。
【００３２】
櫛付キャップＣ１ａの混合容器Ａａへの取付にあたって、嵌着筒８０を螺合させていくと、係止片８４は、容器口筒部７０の拡径部７３に当たって上方に折り返され、嵌着筒８０の螺合が完了したときには、図８に示すように、上方に折りかえされた係止片８４の先端が容器口筒部７０の係止段部７４に係合する。
【００３３】
染毛剤塗布容器の使用後には、櫛取付キャップＣａをねじっても、係止片８４が容器口筒部７０の係止段部７４に当接して開蓋が阻止され、櫛付キャップＣ１ａを取付けたまま放置しておくと、前実施形態と同様の作用効果がもたらされる。
【００３４】
次に、第３実施形態について説明する。
本実施形態は、容器口部の拡径部に係合凹部を設け、櫛取付キャップに係止片を設けたものである。
第１実施形態と同一の構成部分には、添字ｂを付して図示し、詳しい説明は省略する。
図９において、Ａｂは混合容器、Ｃｂは櫛取付キャップである。
混合容器Ａｂは、第１実施形態と同様に、容器口筒部３ｂの下部は拡径部９０となっており、拡径部９０には、複数の係合凹部９１が設けられている。
【００３５】
櫛取付キャップＣｂは、容器口筒部３ｂに螺合する嵌着筒９２を具えており、嵌着筒９２の下部内周は、拡径されて係止筒部９３となっている。
係止筒部９３には、二つの縦方向に延びるスリット９４により形成される複数の係止片９５が設けられている。
各係止片９５の下端部内周には、拡径部９０の係合凹部９１に係合する係止突起９６が設けられている。
【００３６】
櫛取付キャップＣｂの締着にあたって、係止片９５は、その係止突起９６が容器口部３ｂの拡径部９０に圧接しながら廻動され、櫛取付キャップＣｂは、最下降位置において、拡径部９０の係合凹部９１に係止片９５の係止突起９６が係合し、みだりに廻動することを阻止するので、染毛剤塗布容器の使用後に、一般の使用者には、櫛取付キャップＣｂを簡単に取外すことができない。
【００３７】
前記各実施形態では、塗布体として櫛を用いたが、櫛に代え、ブラシ、または塗布ノズルを用いることもできる。
【００３８】
【発明の効果】
本発明は、上記のように構成されているから、次の効果を奏する。
櫛を取付けたキャップを容器口筒部から取外せないようにしたから、使用後に放置しておいても、残った混合液から発生するガスは、内圧上昇に応じてキャップ中栓の吐出弁が開かれ、櫛を通じて大気中に放散されるから混合容器を破損することはない。
【図面の簡単な説明】
【図１】本発明第１実施形態の染毛剤塗布容器の一部断面立面図である。
【図２】混合容器の説明図で、（ａ）は一部断面立面図、（ｂ）はキャップを外した容器の上面図である。
【図３】中栓の断面立面図である。
【図４】キャップの説明図で、（ａ）は一部断面立面図、（ｂ）は底面図である。
【図５】中栓と櫛付キャップの要部説明図である。
【図６】第２実施形態の混合容器の一部断面説明図である。
【図７】櫛取付キャップの説明図で、（ａ）は一部断面立面図、（ｂ）は底面図である。
【図８】櫛付キャップを容器口筒部に取付けたときの説明図である。
【図９】第３実施形態の係止機構の説明図である。
【符号の説明】
Ａ、Ａａ、Ａｂ　　混合容器
Ｂ　　　　　　　　中栓
Ｃ、Ｃａ、Ｃｂ　　櫛取付キャップ
Ｃ１、Ｃ１ａ　　　櫛付キャップ
Ｄ　　　　　　　　櫛体
Ｅ　　　　　　　　キャップ
Ｆ　　　　　　　　係止カバー
１　　　　　　　　外側筒
２　　　　　　　　内側筒
３、３ｂ、７０　　容器口筒部
４、４ａ、　　　　肩部
７　　　　　　　　縮径部
８、７３、９０　　拡径部
９　　　　　　　　切欠部
１０、７１　　　　ねじ
１２　　　　　　　ストッパー
１６　　　　　　　基板
１７　　　　　　　連通孔
１８　　　　　　　側筒
２１　　　　　　　弁保持筒
２２　　　　　　　吐出弁
２４　　　　　　　吸入弁
３０、８０、９２　嵌着筒
３１、８１　　　　櫛支持筒
３２、８２　　　　上壁
３３　　　　　　　縮径筒部
３５、８３　　　　ねじ
３６　　　　　　　係合面
３７、８４、９５　係止片
５０　　　　　　　基台
５１　　　　　　　櫛
５２　　　　　　　取付筒
５３　　　　　　　傘状カバー
５４　　　　　　　液通路
５８　　　　　　　吐出孔
５９　　　　　　　櫛歯
７４　　　　　　　係止段部
７５　　　　　　　くびれ部
９１　　　　　　　係合凹部
９３　　　　　　　係止筒部
９４　　　　　　　スリット
９６　　　　　　　係止突起
【図１】
2004083108.tif 000003
【図２】
2004083108.tif 000004
【図３】
2004083108.tif 000005
【図４】
2004083108.tif 000006
【図５】
2004083108.tif 000007
【図６】
2004083108.tif 000008
【図７】
2004083108.tif 000009
【図８】
2004083108.tif 000010
【図９】
2004083108.tif 000011